(57)【要約】  【課題】電池収納部を小型化しても、精度良くロックレバーを固定でき、落下衝撃などによるロック機構の破壊を防ぎ組立性を向上した撮像装置を提供することである。  【解決手段】  ロックレバーと電池室の固定ビスより電池挿入口側の位置決め突起に対する電池室側の嵌合穴を長穴にし、位置決め突起の根本をなだらかなＲにし、突起先端部に向けて徐々に細く略円錐形になるようにする。【選択図】  図１
2012118157.tif 000002
【特許請求の範囲】
【請求項１】
収納部と、（電池室２０５）
前記収納部に収納される被収納部材と、（電池２０３）
前記被収納部材を前記収納部から挿抜する方向に付勢する力をもち、前記収納部に固定され、前記被収納部材が収納状態では接触する弾性部材（排出バネ２１４）と、
前記収納部に位置決め固定され、前記被収納部材が前記バネ部材に押出されるのを防ぐＬ字形状をした保持部材（ロックレバー２０６）と、
を備える撮像装置において、
前記保持部材には前記収納部との位置決めのために少なくとも２つの凸部があり（２０６ｂ、２０６ｃ）、
前記保持部材上の前記ビス締め位置（２０６ａ）より被収納部材の挿入口の方向（Ｎ）側を第１の範囲（２０６ｅ）とし、
前記第１の範囲内に存在する位置決めダボ（２０６ｂ）に嵌合する前記収納部に設けられた穴（２０５ｂ）は長穴であることを特徴とする撮像装置。
【請求項２】
前記保持部材上の凸部（２０６ｂ、２０６ｃ）の根本は半径Ｒ状（２０６ｄ）で、所定の範囲より先端側は先端に向かって徐々に細くなる形状であることを特徴とする請求項１に記載の撮像装置。
【請求項３】
前記第１の範囲は前記ビス締め位置（２０６ａ）より被収納部材の挿入口の方向（Ｎ）側でなおかつ前記被収納部材に接触する部分の幅（２０６ｆ）と同幅の範囲（２０６ｅ）とすることを特徴とする請求項１に記載の撮像装置。
【発明の詳細な説明】
【技術分野】
【０００１】
本発明はロック機構を有する収納装置に関するものであって、詳しくは撮像装置の電池固定部材に関し、特に撮像装置本体であるカメラ落下衝撃時の電池固定部材破壊防止に関する。
【背景技術】
【０００２】
従来の撮像装置の電池収納部を図２、電池保持部材である電池のロックレバー３０３について図３の概略斜視図を用いて説明する。
【０００３】
３００はカメラの電源として作用する電池、３０１は電池を収納する電池室である。３０２は電池蓋、３０３は先端にＬ字型をした爪部３０３aを有する電池ロックレバーであり、電池室３０１にビス３０４で固定されている。
【０００４】
電池ロックレバー３０３は電池３００挿入時にテーパー部分３０３ｂが押される事で力を受けJ方向に撓む。電池ロックレバー３０３が撓むことで、電池３００が電池室３０１に収納可能になる。電池３００の収納後に電池ロックレバーの爪部３０３aの先端が電池３００に引っ掛かり、電池３００が電池室３０１から抜け落ちるのを防止する。
【０００５】
電池３００を取り出すには電池３００に覆いかぶさっている電池ロックレバーの爪部３０３ａを指でＪ方向に押すことで、電池ロックレバーの爪部３０３ａによる電池３００の係止を解除する。係止が解除されると電池３００は電池室３０１に具備された不図示の排出バネによってＮ方向に排出される。
【０００６】
電池ロックレバー３０３は電池３００と当接する面３０３aと使用者が電池３００を電池ロック状態から解除するために力を加えるテーパー部３０３ｂを備える。電池ロックレバー３０３の平面部３０３ｆに位置決め凸部３０３ｄがあり凸部が電池室３０１側にもうけられた穴と嵌合することで位置決めして取り付ける。
【０００７】
また、電池ロックレバーの平面部３０３ｆにはビス３０４で固定するためのビス穴３０３eがある。電池ロックレバー３０３は変曲点３０３ｃを備え、変曲部３０３ｃより先端側を電池室内部に、平面部３０３ｆを電池室３０１の外部からビス締めする構造により変曲部３０３ｃが落下時の衝撃を吸収し破壊し難い構造となっている。
【０００８】
ここで、電池ロックレバー３０３を高精度に電池室３０１に取り付けを行うためには、位置決め部３０３ｄの間隔をなるべく長い距離を確保する必要がありカメラの電池収納部の大型化を招く。また変曲部３０３ｃを備えるために電池ロックレバーが大型化する。
【０００９】
上記問題を解決するために特許文献１では電池収納部機構を、電池をロックする爪が回転することでロック解除し、落下衝撃で電池ロックが外れない機構にしている。特許文献２では電池に凸部を設け、電池収納部に凹部を設け、電池の凸と電池収納部の凹の間にできたスペースにロック機構をスライド挿入することで電池の抜け止めをおこなっている。
【先行技術文献】
【特許文献】
【００１０】
【特許文献１】特開２００４−３２７２１６号公報
【特許文献２】特開２００９−１３４８８８号公報
【発明の概要】
【発明が解決しようとする課題】
【００１１】
しかしながら、特許文献１及び２において提案された手段はいずれも新たな部品を追加し、コストアップを招くほか、電池収納部の大型化ひいては撮像装置の大型化につながる。
【００１２】
そこで、本発明の目的は、電池収納部を小型化し、落下衝撃などによるロック機構の破壊を防ぎ組立性を向上した撮像装置を提供することである。
【課題を解決するための手段】
【００１３】
上記目的を達成するために、本発明に係わる第1の発明では収納部、前記収納部に収納される被収納部材、前記被収納部材を前記収納部から挿抜する方向に付勢する力をもち、
前記収納部に固定され、前記被収納部材が収納状態では接触する弾性部材、前記収納部に位置決め固定され、前記被収納部材が前記バネ部材に押出されるのを防ぐ略Ｌ字形状をした保持部材を備える撮像装置において、
前記保持部材には前記収納部との位置決めのために少なくとも２つの凸部があり、前記保持部材上の前記ビス締め位置より被収納部材の挿入口の方向側を第１の範囲とし、
前記第１の範囲内に存在する位置決めダボに嵌合する前記収納部に設けられた穴は長穴である事を特徴とする撮像装置。
【００１４】
また本発明に係わる第２の発明では、前記第１の発明において、前記保持部材上の凸部の根本は略半径Ｒ状で、所定の範囲より先端側は先端に向かって徐々に細くなる形状であることを特徴とする撮像装置。
【００１５】
また本発明に係わる第２の発明では、前記第１の発明において、前記第１の範囲は前記ビス締め位置より被収納部材の挿入口の方向側でなおかつ前記被収納部材に接触する部分の幅と同幅の範囲とすることを特徴とする撮像装置
【発明の効果】
【００１６】
本発明によれば電池収納部を小型化し、落下衝撃などによるロック機構が破壊せず、組立性の良い撮像装置を提供することができる。
【図面の簡単な説明】
【００１７】
【図１】本実施形態の電池収納部の概略図
【図２】従来の電池収納部の概略図
【図３】従来のロックレバーの斜視図
【図４】本実施形態の概略斜視図
【図５】本実施形態の分解斜視図
【図６】本実施形態のロックレバーの斜視図
【図７】本実施形態の電池収納部の断面図
【発明を実施するための形態】
【００１８】
図４（ａ）は本発明の実施の形態の一例を示す撮像装置であるデジタルカメラの底面から見た概略斜視図である。また、図４（ｂ）は本発明の実施の形態の一例を示す撮像装置であるデジタルカメラの電池蓋２０４を開けた状態の概略斜視図である。
【００１９】
２０１は不図示の固体撮像素子、レンズを含む撮像手段、信号処理部、電源回路部、電池収納部、撮影した画像を記録媒体に記録する記録手段を具備している撮像装置であるデジタルカメラを示す。２０２は固体撮像素子によって電気信号に変換された被写体像等のデータを記録するための記録媒体であるＳＤメモリーカード（以下「ＳＤカード」と呼ぶ）である。２０３はデジタルカメラの電源として作用する電池である。２０４はＳＤカード２０２と電池２０３を保護するためのデジタルカメラ外装の一部となっている電池蓋である。電池蓋２０４は外装に面している部分である電池蓋外装２０４a、電池２０３の収納部内装に面している電池蓋内装２０４ｂ、電池蓋開閉時に作動させる電池蓋ロック爪２０４ｃで構成されている。２０５は電池２０３の収納部である電池室、２０６は端部が電池室２０５に不図示のビスで固定され電池２０３をロックするための電池ロックレバー、２０７はＳＤカード２０２の収納部であるＳＤカードスロットである。２０８はデジタルカメラの前面外装であるフロントカバー、２０９はデジタルカメラ背面外装であるバックカバー、２１０はデジタルカメラ２０１を三脚に固定するための三脚ネジである。２１１は電池蓋２０４の開閉を検知するスィッチで、電池蓋２０４が開放されると、カメラ本体の主電源が落ちる前に、ＳＤカード２０２に書き込まれたデータを保護する機構になっている。
【００２０】
ＳＤカードスロット２０７にＳＤカード２０２、電池室２０５に電池２０３が収納され電池蓋２０４が閉じられた状態からＳＤカード２０２や電池２０３を取り出すには、先ず電池蓋２０４に設けられた電池蓋ロック爪２０４ｃを電池の挿入方向と直交するＡ方向にスライドさせた後、電池蓋２０４が軸２０４ｄを中心に先端部が弧を描くようにＢ方向に回動させ図４（ｂ）の状態にする。次に、ＳＤカード２０２を取り出す場合はＳＤカード端面をＳＤカードの挿入方向であるＣ方向に押し込む。すると、ＳＤカードスロット２０７の不図示の緊定が解除され、ＳＤカードスロット２０７に具備された不図示の排出バネによって排出される。ＳＤカードを挿入する場合はＳＤカード端面をＣ方向に押し込むと、ＳＤカードスロット２０７の緊定が作動し、ＳＤカードがＳＤスロット２０７内で保持される（このような動作はプッシュプッシュ方式と呼ばれる）。電池２０３を取り出す場合は、電池２０３に引っ掛かり電池を緊定しているロックレバー２０６を矢印Ｄ方向に作動させて電池２０３の緊定を解除させることで、電池室２０５内の不図示の排出バネによって電池２０３が排出される。
【００２１】
次に、デジタルカメラ内の電池収納構造を、図５の分解斜視図を使って説明する。
【００２２】
電池蓋２０４は電池蓋外装２０４ａと電池蓋内装２０４ｂで電池蓋ロック爪２０４ｃを挟みビス２０４ｅを締める構成となっている。電池蓋外装２０４aは中央部に電池蓋ロック爪２０４ｃの凸部を挿入するための穴が開いており、軸２０４ｄをフロントカバー２０８で支持することで、軸２０４ｄを中心に回転し、開閉することができる。電池ロック爪２０４ｃは使用者が開閉時に指をかける凸部とバネ性を持つ部分とロックがかかる先端部から構成されている。指をかける凸部をスライドするとバネ性部分が電池蓋外装２０４ａと当接し反力を発生させ電池蓋ロック爪先端部が可動する構造である。また、電池蓋ロック爪先端部は電池室２０５とバックカバー２０９の間の空間に挿入することで、電池蓋を閉じた状態にロックすることが可能である。
【００２３】
次に電池保持構造について述べる。電池接片コネクタ２１３は電池室内に設置され不図示の電子基板に半田などで固定されている。電池２０３に設けられた不図示の接片から接片コネクタ２１３を介してカメラ本体内に電力の供給と電気的通信を行っている。電池接片コネクタ２１３の導通部はバネ性をもっており、電池の排出を助ける働きと電池側の接片を付勢する事で常に導通性を保ち瞬断等を防いでいる。排出バネ２１４はロックレバー２０６を解除した際に電池２０３が排出バネ２１４に付勢されることで、使用者の電池取出しを容易にしている。排出バネ２１４は電池室に設けられた不図示の穴から挿入し、押さえ部材２１５で押さえ固定ビス２１６で電池室２０５と押さえ部材２１５を固定することで電池２０３を排出する方向に付勢している。
【００２４】
電池保持部材であるロックレバー２０６と電池室２０５の構成について図４の概略斜視図、図５の分解斜視図、図６のロックレバーの概略斜視図を用いて説明する。
【００２５】
ロックレバー２０６は電池２０３と当接する面２０６ｆと使用者が電池２０３を電池ロック状態から解除するために力を加えるテーパー部分２０６ｇを備える。電池２０３挿入時にテーパー部分２０６ｇが押される事で力を受けＤ方向に撓む。このロックレバー２０６が撓むことで電池２０３を電池室２０５に収納可能にする。電池２０３の収納後にロックレバーの爪部２０６ｆの先端が電池２０３に引っ掛かり、電池２０３が電池室２０５から抜け落ちるのを防止する。電池２０３を取り出すにはロックレバーの爪部２０６ｇを指でＤ方向に押すことで、ロックレバーの爪部２０６ｆが電池２０３の係止を解除し電池室２０５に具備された排出バネ２１４によって取り出すことが出来る。排出バネ２１４を電池ロックレバー２０６に対向する位置に設けることで電池２０３が常にロックレバー２０６に付勢され、安定して電池を保持固定する事が可能となっている。
【００２６】
本発明の電池室と電池ロックレバーの詳細について電池室２０５の外側から見た図１を用いて説明する。ロックレバー２０６は電池室内にあるため点線で示している。
【００２７】
電池ロックレバー２０６は弾性のある樹脂材であるとともに略Ｌ形状をしている。電池室に設けられた第１の穴２０５ｂ、第２の穴２０５ｃにロックレバー側に設けられた第１の突起２０６ｂ、第２の突起２０６ｃを挿入する事で位置決めを行い、ビス穴２０６ａと２０５ａをビス２１２で締める事でロックレバー２０６は電池室２０５に固定されている。電池ロックレバー２０６の第１の突起２０６ｂは、固定用ビス穴２０６ａから電池当接面２０６ｆの幅までの範囲２０６ｅにある。第１の突起２０６ｂを挿入する第１の穴２０５ｂは長穴形状で、第２の突起２０６ｃを挿入する第２の穴は丸穴である。
【００２８】
本発明ではロックレバー２０６及び電池室２０５の位置決め突起２０６ｂ、２０６ｃを、ビス穴２０６ａを挟んでＮ方向に距離を取る事でＡ方向の幅を小型化している。上記構成にすることで位置決めの精度を保ちつつ、小型化することが可能となる。
【００２９】
しかし、電池挿入状態で電池挿入方向Ｎに衝撃が加わるとロックレバーがＮ方向に延びるように力が加わり、ビス穴２０６ａより電池排出口に近い範囲２０６ｅ内の第１の突起２０６ｂに剪断応力がかかり易くなる。そこで、本発明では電池室２０５のロックレバーの第１の突起２０６ｂに対する第１の穴２０５ｂを長穴とする事で、衝撃が加わった場合の剪断応力を軽減し破壊を防いでいる。
【００３０】
次にロックレバー２０６の剪断応力軽減形状の詳細を図６、図７を用いて説明する。図６はロックレバー２０６の斜視図、図７は電池室２０５をＤの方向に切った断面図である。
【００３１】
本発明ではロックレバーの突起の根本を一段下げてなだらかな半径２０６ｄを設ける事で剪断応力を分散し影響を軽減している。剪断応力に対しては位置決め突起のＤ方向の嵌合長さを長くすればするほど先端側に力がかかり不利になる。しかしながら、電池室２０５内部にはロックレバー２０６が撓み退避する空間２０５ｄがあり、組立時に２０５ｅを支点にしてロックレバー２０６がＥ方向に回転する。位置決め突起２０６ｃが短いとロックレバーが回転したときに、位置決め穴２０５ｃから位置決め突起２０６ｃが抜けてしまいビス２１２を締める際にロックレバーが浮いてしまい作業性が低下する。そこで組立作業性向上と剪断応力の影響軽減を両立させるため、位置決め突起をＤ方向に長くし、嵌合部を必要最小限にし、先端部に向かって徐々に細く略円錐形状にする。
【００３２】
このような構成によって、落下による衝撃があっても２０６ｂ、２０６ｃの位置決め突起の嵌合部分は少ないため破壊されることがなく、小型で組立作業性の良い電池収納部を提供することができる。
【符号の説明】
【００３３】
２０１：撮像装置
２０２：ＳＤカード
２０３：電池
２０４：電池蓋
２０５：電池室
２０６：ロックレバー
２０７：ＳＤカードスロット
２０８：フロントカバー
２０９：バックカバー
２１０：三脚ねじ
２１１：検知スイッチ
２１２：ビス
２１３：電池接片コネクタ
２１４：排出バネ
２１５：押さえ部材
２１６：ビス
【図１】
2012118157.tif 000003
【図２】
2012118157.tif 000004
【図３】
2012118157.tif 000005
【図４】
2012118157.tif 000006
【図５】
2012118157.tif 000007
【図６】
2012118157.tif 000008
【図７】
2012118157.tif 000009